(57)【要約】  システムは、識別情報を無線で送信し、所定の情報を表示可能な表示装置４０と、表示装置４０と通信可能に接続されるサーバ１０と、サーバ１０と通信可能に接続されており、識別情報を受信すると、サーバ１０を介した表示装置４０との通信の開始を要求する通信開始要求を、サーバ１０へ送信する、移動端末６０と、を備え、サーバ１０は、通信開始要求を要求した移動端末６０と表示装置４０との間の通信の許可を判断し、通信を許可する場合には、通信許可通知を、移動端末６０及び表示装置４０に送信し、通信を許可しない場合には、通信不許可通知を、移動端末６０に送信する。
2017138391.tif 000002
【特許請求の範囲】
【請求項１】
識別情報を無線で送信し、所定の情報を表示可能な表示装置と、
前記表示装置と通信可能に接続されるサーバと、
前記サーバと通信可能に接続されており、
前記識別情報を受信すると、前記サーバを介した前記表示装置との通信の開始を要求する通信開始要求を、前記サーバへ送信する、移動端末と、
を備え、
前記サーバは、前記通信開始要求を要求した前記移動端末と前記表示装置との間の通信の許可を判断し、通信を許可する場合には、通信許可通知を、前記移動端末及び前記表示装置に送信し、通信を許可しない場合には、通信不許可通知を、前記移動端末に送信する、システム。
【請求項２】
複数の前記移動端末を備え、
一の前記移動端末から前記通信開始要求を受信した前記サーバは、
他の前記移動端末が、前記サーバを介して前記表示装置と通信を行っていない場合には、前記通信許可通知を、一の前記移動端末に送信し、
他の前記移動端末が、前記サーバを介して前記表示装置と通信を行っている場合には、前記通信不許可通知を、一の前記移動端末に送信する、請求項１に記載のシステム。
【請求項３】
各前記移動端末は、前記識別情報を受信すると、前記識別情報を受信したことを通知する受信確認通知を、前記サーバへ送信し、
一の前記移動端末から前記受信確認通知を受信した前記サーバは、
他の前記移動端末が、前記サーバを介して前記表示装置と通信を行っていない場合には、前記サーバを介した前記表示装置との通信が可能であることを通知する通信可能通知を、一の前記移動端末に送信し、
他の前記移動端末が、前記サーバを介して前記表示装置と通信を行っている場合には、前記表示装置との通信が許可されないことを通知する通信不可通知を、一の前記移動端末に送信し、
前記通信可能通知を受信した一の前記移動端末は、前記通信開始要求を、前記サーバへ送信する、請求項２に記載のシステム。
【請求項４】
前記サーバを介して前記表示装置と通信を行っている前記移動端末は、
受信していた前記識別情報が受信されなくなった時には、前記サーバを介した前記表示装置との通信の停止を要求する通信停止要求を前記サーバに送信し、
前記サーバは、
前記移動端末から前記通信停止要求を受信すると、前記サーバを介した前記表示装置との通信の停止を通知する通信停止通知を、前記移動端末及び前記表示装置に送信する、請求項１〜３の何れか一項に記載のシステム。
【請求項５】
前記通信許可通知を受信した前記表示装置は、商品を表示し、ユーザにより表示されている商品が選択されると、前記装置識別情報及び選択された商品を識別する商品識別情報を少なくとも含む商品選択要求を前記サーバへ送信し、
前記サーバは、前記商品選択要求を受信すると、受信した前記商品選択要求に含まれる前記商品識別情報を前記移動端末へ送信する、請求項１〜４の何れか一項に記載のシステム。
【請求項６】
所定の情報を表示可能な表示装置が無線で送信している識別情報を受信した移動端末から、サーバを介した前記表示装置との通信の開始を要求する通信開始要求を受信すると、前記通信開始要求を要求した前記移動端末と前記表示装置との間の通信の許可を判断し、通信を許可する場合には、通信許可通知を、前記移動端末及び前記表示装置に送信し、通信を許可しない場合には、通信不許可通知を、前記移動端末に送信する、サーバ。
【請求項７】
移動端末は、所定の情報を表示可能な表示装置が無線で送信している識別情報を受信すると、サーバを介した前記表示装置との通信の開始を要求する通信開始要求を、前記サーバへ送信し、
前記サーバは、前記通信開始要求を要求した前記移動端末と前記表示装置との間の通信の許可を判断し、通信を許可する場合には、通信許可通知を、前記移動端末及び前記表示装置に送信し、通信を許可しない場合には、通信不許可通知を、前記移動端末に送信する、方法。
【発明の詳細な説明】
【技術分野】
【０００１】
本発明は、システム、サーバ及び方法に関する。
【背景技術】
【０００２】
従来、デジタル技術及び通信技術を用いて、表示される情報を制御可能な表示装置が使用されている。これらの表示装置は、例えば、屋外、商業施設又は公共機関等の場所に配置されており、ネットワークを介した通信、又は移動端末との直接の通信により、表示される情報が制御可能であり、デジタルサイネージ（又は単にサイネージ）とも呼ばれる。【０００３】
これらの表示装置は、所定の情報を表示する機能と共に、通信を用いて商品等の売買を行う電子商取引にも利用され得る。【０００４】
表示装置と通信可能な移動端末を有するユーザは、表示装置が表示する複数の商品の内から所望の商品を選択し、選択された商品の購入及び商品の配送処理が、移動端末を用いて行われる。また、購入した商品の支払い処理は、電子決済によりなされる。【０００５】
例えば、特許文献１は、商品表示装置（デジタルサイネージ）に表示された商品を購入する時に、ユーザが選択した商品及び商品に関する情報を、商品表示装置には表示せず、ユーザが保有する移動端末のみに表示するシステムを提案している。このシステムによれば、屋外、商業施設又は公共機関等の場所において、ユーザが購入する商品等の情報が、他人に知られることを防止できる。
【先行技術文献】
【特許文献】
【０００６】
【特許文献１】特開２０１４−１０２５８７号公報
【発明の概要】
【発明が解決しようとする課題】
【０００７】
商品表示装置は、通常、屋外、商業施設又は公共機関等の場所に配置されるので、複数のユーザが、同時に商品表示装置を利用しようとすることもあり得る。【０００８】
また、表示装置と通信可能な移動端末を有する複数のユーザがいる時でも、購入する商品を決定しているユーザと、購入する商品をまだ決定していないユーザがいる場合がある。【０００９】
このような場合、購入する商品を決定しているユーザを他のユーザよりも優先して、このユーザが有する移動端末と、商品表示装置との通信を開始することが好ましい。【００１０】
しかし、特許文献１には、複数のユーザが、同時に商品表示装置を利用可能な時におけるシステムの動作については、何も記載されていない。【００１１】
本明細書では、上述した課題を解決し得るシステム、サーバ及び方法を提供することを課題とする。
【課題を解決するための手段】
【００１２】
本明細書に開示するシステムによれば、識別情報を無線で送信し、所定の情報を表示可能な表示装置と、上記表示装置と通信可能に接続されるサーバと、上記サーバと通信可能に接続されており、上記識別情報を受信すると、上記サーバを介した上記表示装置との通信の開始を要求する通信開始要求を、上記サーバへ送信する、移動端末と、を備え、上記サーバは、上記通信開始要求を要求した上記移動端末と上記表示装置との間の通信の許可を判断し、通信を許可する場合には、通信許可通知を、上記移動端末及び上記表示装置に送信し、通信を許可しない場合には、通信不許可通知を、上記移動端末に送信する。【００１３】
また、本明細書に開示するサーバによれば、所定の情報を表示可能な表示装置が無線で送信している識別情報を受信した移動端末から、サーバを介した上記表示装置との通信の開始を要求する通信開始要求を受信すると、上記通信開始要求を要求した上記移動端末と上記表示装置との間の通信の許可を判断し、通信を許可する場合には、通信許可通知を、上記移動端末及び上記表示装置に送信し、通信を許可しない場合には、通信不許可通知を、上記移動端末に送信する。【００１４】
更に、本明細書に開示する方法によれば、移動端末は、所定の情報を表示可能な表示装置が無線で送信している識別情報を受信すると、サーバを介した上記表示装置との通信の開始を要求する通信開始要求を、上記サーバへ送信し、上記サーバは、上記通信開始要求を要求した上記移動端末と上記表示装置との間の通信の許可を判断し、通信を許可する場合には、通信許可通知を、上記移動端末及び上記表示装置に送信し、通信を許可しない場合には、通信不許可通知を、上記移動端末に送信する。
【発明の効果】
【００１５】
上述した本明細書に開示するシステムによれば、表示装置と移動端末との通信を適切に開始することができる。【００１６】
また、上述した本明細書に開示するサーバによれば、表示装置と移動端末との通信を適切に開始することができる。【００１７】
更に、上述した本明細書に開示する方法によれば、表示装置と移動端末との通信を適切に開始することができる。
【図面の簡単な説明】
【００１８】
【図１】本明細書に開示する一実施形態のシステムを示す図である。
【図２】図１に示すシステムの動作の概要を示す図である。
【図３】（Ａ）は、第１サーバのブロック図であり、（Ｂ）は、第２サーバのブロック図である。
【図４】識別番号管理表を示す図である。
【図５】（Ａ）は、会員管理表を示す図であり、（Ｂ）は、装置管理表を示す図である。
【図６】商品表示装置のブロック図である。
【図７】移動端末のブロック図である。
【図８】システムの第１動作例を説明する図である。
【図９】システムの第１動作例の動作を説明するシーケンス図（その１）である。
【図１０】システムの第１動作例の動作を説明するシーケンス図（その２）である。
【図１１】システムの第１動作例の動作を説明するシーケンス図（その３）である。
【図１２】システムの第１動作例の動作を説明するフローチャート図（その１）である。
【図１３】システムの第１動作例の動作を説明するフローチャート図（その２）である。
【図１４】（Ａ）及び（Ｂ）は、移動端末の表示を説明する図である。
【図１５】システムの第２動作例を説明する図である。
【図１６】システムの第２動作例の動作を説明するシーケンス図（その１）である。
【図１７】システムの第２動作例の動作を説明するシーケンス図（その２）である。
【図１８】システムの第２動作例の動作を説明するシーケンス図（その３）である。
【図１９】システムの第３動作例を説明する図（その１）である。
【図２０】システムの第３動作例を説明する図（その２）である。
【図２１】システムの第３動作例の動作を説明するシーケンス図（その１）である。
【図２２】システムの第３動作例の動作を説明するシーケンス図（その２）である。
【図２３】システムの第３動作例の動作を説明するシーケンス図（その３）である。
【図２４】システムの第３動作例の動作を説明するシーケンス図（その４）である。
【発明を実施するための形態】
【００１９】
以下、本明細書で開示するシステムの好ましい一実施形態を、図を参照して説明する。但し、本発明の技術範囲はそれらの実施形態に限定されず、特許請求の範囲に記載された発明とその均等物に及ぶものである。
【００２０】
図１は、本明細書に開示する一実施形態のシステムを示す図である。
【００２１】
本実施形態のシステム１は、商品を表示する商品表示装置４０と、ユーザ（図示せず）が携帯する移動端末６０とが、サーバ１０を介して通信を行うことにより、商品の売買が行われるシステムである。
【００２２】
システム１は、サーバ１０と、商品表示装置４０と、移動端末６０を備える。サーバ１０、商品表示装置４０及び移動端末６０は、ネットワークＮに接続されている。商品表示装置４０は、ネットワークＮを介して、サーバ１０と通信可能である。また、移動端末６０も、ネットワークＮを介して、サーバ１０と通信可能である。ネットワークＮは、有線若しくは無線又は有線及び無線の通信技術を用いて構成される。例えば、ネットワークＮとして、インターネットを用いることができる。
【００２３】
商品表示装置４０は、移動端末６０に対して、商品表示装置４０を識別する識別情報（識別番号）を無線で送信するための無線標識送信部５０を有する。無線標識送信部５０は、所定の範囲（以下、無線標識送信領域ともいう）に亘って、固有の識別番号を無線で送信している。
【００２４】
図１には、一つの商品表示装置４０しか示されていないが、実際には、複数の商品表示装置が、ネットワークＮに接続されて配置され得る。各商品表示装置は、商品表示装置を識別する識別番号を無線で送信する無線標識送信部を有する。
【００２５】
ユーザに携帯される移動端末６０は、ユーザの移動に伴って無線標識送信領域の中に侵入すると、無線標識送信部５０が送信する識別番号を受信する。移動端末６０は、識別番号を受信することにより、サーバ１０を介した商品表示装置４０との間の通信が可能な状態にあることを認識する。この状態では、移動端末６０を携帯するユーザは、商品表示装置４０が表示する商品等の情報に基づいて、移動端末６０を用いて、商品等の売買処理を行える状態になる。
【００２６】
以下、図２を参照して、システム１の動作の概略を説明する。
【００２７】
まず、ステップＳ１において、移動端末６０は、サーバ１０に対して、サーバ１０を介した商品表示装置４０との間の通信を開始する要求を、ネットワークＮを介して送信する。サーバ１０は、第１サーバ２０及び第２サーバ３０を有する。第１サーバ２０は、移動端末６０から識別番号を受信して、識別番号と関連付けられている商品表示装置４０を識別する装置識別番号を、第２サーバ３０に送信する。第２サーバ３０は、装置識別番号に基づいて、移動端末６０が通信の開始を求めている商品表示装置４０を認識する。
【００２８】
次に、ステップＳ２において、サーバ１０は、装置識別番号により識別される商品表示装置４０と、移動端末６０との間の通信の許可を判断し、通信を許可する場合には、通信許可通知を、移動端末６０及び表示装置４０に送信する。
【００２９】
次に、ステップＳ３において、移動端末６０は、商品表示装置４０との間で、サーバ１０を介した通信を開始して、商品の売買処理が行われる。第２サーバ３０は、移動端末６０と商品表示装置４０との間で行われる電子商取引の通信を介在する。なお、第１サーバ２０及び第２サーバ３０それぞれの機能を、１つのサーバが有するようにしてもよい。
【００３０】
図３（Ａ）は、第１サーバ２０のブロック図である。
【００３１】
第１サーバ２０は、演算部２１と、記憶部２２と、操作部２３と、表示部２４と、通信部２５を有する。
【００３２】
演算部２１は、一つまたは複数のプロセッサと、周辺回路とを有する。演算部２１は、記憶部２２に予め記憶されている所定のプログラムに従い、サーバ２０の各要素の制御及び各種処理を行い、処理中に生じるデータを一時的に保存するために記憶部２２を利用する。記憶部２２は、１次記憶装置及び２次記憶装置を有していても良い。また、記憶部２２は、所定のプログラムを記憶する記憶媒体２２ａを読み出し可能なドライブを有していても良い。
【００３３】
操作部２３は、第１サーバ２０の管理者等によって操作されて、各種の情報を入力する。操作部２３としては、例えば、キーボード又はマウスを用いることができる。演算部２１は、操作部２３から入力された各種の情報を用いて、各種処理を行う。
【００３４】
表示部２４は、演算部２１に制御されて、各種の情報を表示する。表示部２４としては、例えば、液晶パネルを用いることができる。
【００３５】
通信部２５は、ネットワークＮを介して、移動端末６０又は第２サーバ３０との間でデータの送受信を行う。通信部２５は、送受信を行う通信回路及び通信線又はアンテナを有し得る。
【００３６】
図１に示すように、第１サーバ２０は、データベース２０ａを有する。データベース２０ａには、識別番号管理表Ｔ１が記憶される。
【００３７】
図４は、識別番号管理表Ｔ１を示す図である。
【００３８】
識別番号管理表Ｔ１には、無線標識送信部５０が送信する識別番号と、識別番号により識別される商品表示装置４０の装置識別番号とが関連づけられて記憶される。システム１は、図１には示されていないが、複数の商品表示装置を備えている。
【００３９】
図３（Ｂ）は、第２サーバ３０のブロック図である。
【００４０】
第２サーバ３０は、演算部３１と、記憶部３２と、操作部３３と、表示部３４と、通信部３５を有する。
【００４１】
演算部３１は、一つまたは複数のプロセッサと、周辺回路とを有する。演算部３１は、記憶部３２に予め記憶されている所定のプログラムに従い、第２サーバ３０の各要素の制御及び各種処理を行い、処理中に生じるデータを一時的に保存するために記憶部３２を利用する。記憶部３２は、１次記憶装置及び２次記憶装置を有していても良い。また、記憶部３２は、所定のプログラムを記憶する記憶媒体３２ａを読み出し可能なドライブを有していても良い。
【００４２】
操作部３３は、第２サーバ３０の管理者等によって操作されて、各種の情報を入力する。操作部３３としては、例えば、キーボード又はマウスを用いることができる。演算部３１は、操作部３３から入力された各種の情報を用いて、各種処理を行う。
【００４３】
表示部３４は、演算部３１に制御されて、各種の情報を表示する。表示部３４としては、例えば、液晶パネルを用いることができる。
【００４４】
通信部３５は、ネットワークＮを介して、移動端末６０、商品表示装置４０又は第１サーバ２０との間でデータの送受信を行う。通信部３５は、送受信を行う通信回路及び通信線又はアンテナを有し得る。
【００４５】
図１に示すように、第２サーバ３０は、データベース３０ａを有する。データベース３０ａには、会員管理表Ｔ２及び装置管理表Ｔ３が記憶される。
【００４６】
図５（Ａ）は、会員管理表Ｔ２を示す図であり、図５（Ｂ）は、装置管理表Ｔ３を示す図である。
【００４７】
会員管理表Ｔ２には、商品表示装置４０と電子商取引を行う移動端末６０のユーザが有する会員番号が記憶される。また、装置管理表Ｔ３には、商品表示装置４０の装置識別番号と、装置識別番号により識別される商品表示装置４０の通信状態と、通信を行っている移動端末６０のユーザが有する会員番号とが関連付けられて記憶される。通信状態には、通信中又は通信停止の内の何れかの状態が登録される。商品表示装置４０が通信停止の状態の時には、会員番号は登録されていない。
【００４８】
図６は、商品表示装置４０のブロック図である。
【００４９】
商品表示装置４０は、演算部４１と、記憶部４２と、操作部４３と、表示部４４と、通信部４５を有する。
【００５０】
演算部４１は、一つまたは複数のプロセッサと、周辺回路とを有する。演算部４１は、記憶部４２に予め記憶されている所定のプログラムに従い、商品表示装置４０の各要素の制御及び各種処理を行い、処理中に生じるデータを一時的に保存するために記憶部４２を利用する。記憶部４２は、１次記憶装置及び２次記憶装置を有していても良い。
【００５１】
操作部４３は、商品表示装置４０を利用するユーザによって操作されて、各種の情報を入力する。操作部４３としては、例えば、タッチパネルを用いることができる。演算部４１は、操作部４３から入力された各種の情報を用いて、各種処理を行う。
【００５２】
表示部４４は、演算部４１に制御されて、各種の情報を、所定の言語で表示する。表示部４４としては、例えば、液晶パネルを用いることができる。表示部４４に表示される情報としては、販売される商品の画像又は商品に関する情報等が挙げられる。
【００５３】
通信部４５は、ネットワークＮを介して、第２サーバ３０との間でデータの送受信を行う。また、商品表示装置４０の制御を、ネットワークＮを介して、外部から行ってもよい。通信部４５は、送受信を行う通信回路及び通信線又はアンテナを有し得る。
【００５４】
商品表示装置４０は、移動端末６０に対して、自己の識別番号を無線で送信するための無線標識送信部５０を有する。無線標識送信部５０は、無線標識送信領域Ｒ（図８参照）に亘って、固有の識別番号を無線で送信する。識別番号は、無線標識送信部５０に対して固有であり、識別番号と関連づけられている装置識別番号により、商品表示装置４０が識別される。無線標識送信部５０は、商品表示装置４０が移動端末６０と通信中の時でも、識別番号を送信し続ける。
【００５５】
無線標識送信部５０は、Ｂｌｕｅｔｏｏｔｈ（登録商標）等の近距離無線通信技術を用いて、無線標識送信領域Ｒ（例えば、３〜５ｍの距離）に亘って、識別番号を無線で送信する。
【００５６】
無線標識送信部５０が送信する識別番号としては、例えば、他の無線標識送信部が送信する番号とは重複することがない乱数を用いることができる。
【００５７】
図１に示す例では、商品表示装置４０と無線標識送信部５０とは別体であるが、無線標識送信部５０は、商品表示装置４０と近接して配置されること好ましい。なお、商品表示装置４０と無線標識送信部５０とは、一体であってもよい。
【００５８】
図７は、移動端末６０のブロック図である。
【００５９】
移動端末６０は、演算部６１と、記憶部６２と、操作部６３と、表示部６４と、第１通信部６５と、第２通信部６６を有する。
【００６０】
演算部６１は、一つまたは複数のプロセッサと、周辺回路とを有する。演算部６１は、記憶部６２に予め記憶されている所定のプログラムに従い、移動端末６０の各要素の制御及び各種処理を行い、処理中に生じるデータを一時的に保存するために記憶部６２を利用する。
【００６１】
記憶部６２は、１次記憶装置及び２次記憶装置を有していても良い。
【００６２】
操作部６３は、移動端末６０のユーザ等によって操作されて、各種の情報を入力する。操作部６３としては、例えば、タッチパネルを用いることができる。演算部６１は、操作部６３から入力された各種の情報を用いて、各種処理を行う。
【００６３】
表示部６４は、演算部６１に制御されて、各種の情報を表示する。表示部６４としては、例えば、液晶パネルを用いることができる。
【００６４】
第１通信部６５は、無線標識送信部５０が無線で送信する識別番号を受信する。第１通信部６５は、送受信を行う通信回路及び通信線又はアンテナを有し得る。
【００６５】
第２通信部６６は、ネットワークＮを介して、第１サーバ２０又は第２サーバ３０との間でデータの送受信を行う。第２通信部６６は、送受信を行う通信回路及び通信線又はアンテナを有し得る。
【００６６】
移動端末６０としては、例えば、多機能型携帯電話機、ウェアラブル端末、タブレット端末又はノート型パーソナルコンピュータ等を用いることができる。
【００６７】
次に、システム１の第１動作例を、図面を参照しながら、以下に説明する。
【００６８】
図８は、システム１の第１動作例を説明する図である。
【００６９】
商品表示装置４０は、屋外、商業施設又は公共機関等の場所に配置されている。商品表示装置４０が有する無線標識送信部５０は、無線標識送信領域Ｒに亘って、識別番号を無線で送信している。
【００７０】
ユーザに携帯される移動端末６０は、ユーザの移動に伴って無線標識送信領域Ｒの中に侵入すると、無線標識送信部５０が送信する識別番号を受信する。
【００７１】
以下、図８に示すシステムの第１動作例を、図９〜図１１に示すシーケンス図を参照しながら、以下に説明する。
【００７２】
まず、ステップＳ１０において、移動端末６０は、無線標識送信部５０が送信する識別番号を受信する。識別番号を搬送する電磁波の信号強度は、無線標識送信部５０から離れるのと共に減衰するので、無線標識送信領域Ｒの境界付近では、移動端末６０は、識別番号が受信できたり、受信できなかったりする。そこで、移動端末６０は、識別番号を受信した時点から所定の時間の間、継続して識別番号が受信できた時に、無線標識送信領域Ｒの中に移動したと判断する。
【００７３】
次に、ステップＳ１２において、移動端末６０は、移動端末６０が識別番号を受信したことを通知する受信確認通知及び識別番号を、通信番号と共に、ネットワークＮを介して、第１サーバ２０に送信する。ここで、通信番号は、送信処理を管理する管理番号であり、移動端末６０が送信する情報に付加される。
【００７４】
次に、ステップＳ１４において、第１サーバ２０は、受信確認通知及び識別番号を、通信番号と共に受信する。
【００７５】
そして、第１サーバ２０は、データベース２０ａに記憶される識別番号管理表Ｔ１を参照して、受信した識別番号と関連付けられている商品表示装置４０の装置識別番号を読み取る。
【００７６】
次に、ステップＳ１６において、第１サーバ２０は、識別番号と関連付けられている商品表示装置４０の装置識別番号と、受信確認通知とを、ネットワークＮを介して第２サーバ３０に送信する。
【００７７】
次に、ステップＳ１８において、第２サーバ３０は、装置識別番号及び受信確認通知を受信する。
【００７８】
次に、ステップＳ２０において、第２サーバ３０は、受信確認通知を要求した移動端末６０と商品表示装置４０との間の通信の許可を判断して、判断結果の通知を、ネットワークＮを介して、移動端末６０に送信する。ステップＳ２０における第２サーバ３０の判断処理を、図１２を参照して、以下に説明する。
【００７９】
まず、ステップＳ５０において、第２サーバ３０は、データベース３０ａに記憶される装置管理表Ｔ３の装置識別番号と関連付けられている通信状態を参照して、装置識別番号により識別される商品表示装置４０が、第２サーバ３０を介して他の移動端末と通信を行っているか否かを判断する。装置識別番号により識別される商品表示装置４０が、他の移動端末と通信を行っていない場合には、ステップＳ５２へ進む。一方、そうでない場合には、ステップＳ５４へ進む。
【００８０】
ステップＳ５２へ進んだ場合には、第２サーバ３０は、受信確認通知を要求した移動端末６０が、第２サーバ３０を介した商品表示装置４０との通信が可能であることを通知する通信可能通知を、移動端末６０に送信する。
【００８１】
一方、ステップＳ５４へ進んだ場合には、第２サーバ３０は、第２サーバ３０を介した商品表示装置４０との通信が許可されないことを通知する通信不可通知を、受信確認通知を要求した移動端末６０に送信する。
【００８２】
次に、ステップＳ２２において、移動端末６０は、判断結果の通知を受信する。
【００８３】
次に、ステップＳ２４において、移動端末６０は、判断結果の通知に基づいて、商品表示装置４０との通信が可能か否かを判断する。商品表示装置４０との通信が可能な場合には、ステップＳ２６へ進む。一方、そうでない場合には、ステップＳ２８へ進む。
【００８４】
ステップＳ２６へ進んだ場合には、移動端末６０は、表示部６４に、商品表示装置４０との通信が可能であることを表示する。
【００８５】
図１４（Ａ）に示すように、移動端末６０の表示部６４には、「商品表示装置との通信が可能です」と表示される。また、移動端末６０は、「ログインする」と示されたボタン６４ａを表示部６４に表示して、ユーザに対して、第２サーバ３０を介した商品表示装置４０との通信の開始を要求する通信開始要求を、第２サーバ３０へ送信することを促す。そして、ステップＳ３０へ進む。
【００８６】
一方、ステップＳ２８へ進んだ場合には、移動端末６０は、表示部６４に、商品表示装置４０との通信が可能でないことを表示する。
【００８７】
図１４（Ｂ）に示すように、移動端末６０の表示部６４には、「商品表示装置との通信はできません」と表示される。この時、移動端末６０を携帯するユーザは、無線標識送信領域Ｒ内に位置しているので、商品表示装置４０を視界におさめている。しかし、ユーザは、移動端末６０の表示をみることにより、この商品表示装置４０との通信が可能でないことを知る。
【００８８】
そして、通信不可通知を受信した移動端末６０は、無線標識送信領域Ｒに位置している間は、所定の間隔で、ステップＳ１０〜ステップＳ２４の処理を繰り返す。
【００８９】
以下の動作では、移動端末６０が通信可能通知を受信した場合について説明する。
【００９０】
ステップＳ３０において、移動端末６０は、表示部６４に表示されたボタン６４ａがユーザにより操作されると、ログインの操作がされたことを認識する。
【００９１】
次に、ステップＳ３２において、移動端末６０は、第２サーバ３０を介した商品表示装置４０との通信の開始を要求する通信開始要求、識別番号、会員番号及び言語情報を、通信番号と共に、ネットワークＮを介して第１サーバ２０に送信する。ここで、言語情報は、英語又は日本語等、商品表示装置４０が、表示部４４に情報を表すために使用される言語の情報であり、通常、移動端末６０のユーザが使用する言語が選択されて送信される。なお、図面では、言語情報を単に言語と記載している。
【００９２】
次に、ステップＳ３４において、第１サーバ２０は、通信開始要求、識別番号、会員番号及び言語情報を、通信番号と共に受信する。
【００９３】
そして、第１サーバ２０は、データベース２０ａに記憶される識別番号管理表Ｔ１を参照して、受信した識別番号と関連付けられている商品表示装置４０の装置識別番号を読み取る。
【００９４】
次に、ステップＳ３６において、第１サーバ２０は、識別番号と関連付けられている商品表示装置４０の装置識別番号、通信開始要求、会員番号及び言語情報を、通信番号と共に、ネットワークＮを介して第２サーバ３０に送信する。
【００９５】
次に、ステップＳ３８において、第２サーバ３０は、識別番号と関連付けられている商品表示装置４０の装置識別番号、通信開始要求、会員番号及び言語情報を、通信番号と共に受信する。
【００９６】
第２サーバ３０は、データベース３０ａに記憶される会員管理表Ｔ２を参照して、受信した会員番号が、会員管理表Ｔ２に登録されていることを確認する。受信した会員番号が会員管理表Ｔ２に登録されている場合には、ステップＳ４０へ進む。もし、受信した会員番号が会員管理表Ｔ２に登録されていない場合には、ステップＳ６４（図１３参照）へ進む。
【００９７】
次に、ステップＳ４０において、第２サーバ３０は、通信開始要求を要求した移動端末６０と商品表示装置４０との間の通信の許可を判断して、判断結果の通知を、ネットワークＮを介して、移動端末６０及び商品表示装置４０に対して、又は移動端末６０のみに送信する。ステップＳ４０における第２サーバ３０の判断処理を、図１３を参照して、以下に説明する。
【００９８】
まず、ステップＳ６０において、第２サーバ３０は、データベース３０ａに記憶される装置管理表Ｔ３の装置識別番号と関連付けられている通信状態を参照して、装置識別番号により識別される商品表示装置４０が、第２サーバ３０を介して他の移動端末と通信を行っているか否かを判断する。装置識別番号により識別される商品表示装置４０が、他の移動端末と通信を行っていない場合には、ステップＳ６２へ進む。一方、そうでない場合には、ステップＳ６４へ進む。
【００９９】
ステップＳ６２へ進んだ場合には、第２サーバ３０は、通信開始要求を要求した移動端末６０が、第２サーバ３０を介して商品表示装置４０と通信することを許可することを通知する通信許可通知を、移動端末６０に送信する。また、第２サーバ３０は、通信許可通知及び言語情報を、商品表示装置４０に送信する。
【０１００】
そして、第２サーバ３０は、データベース３０ａに記憶される装置管理表Ｔ３を更新する。具体的には、第２サーバ３０は、通信が許可された装置識別番号と関連付けられている商品表示装置４０の通信状態を、通信停止から通信中に変更する。また、第２サーバ３０は、通信が許可された装置識別番号と関連付けて、受信した会員番号を登録する。なお、上述した装置管理表Ｔ３の更新処理は、第２サーバ３０が移動端末６０及び商品表示装置４０に対して、通信許可通知等を送信する前に行ってもよい。
【０１０１】
ステップＳ６４へ進んだ場合には、第２サーバ３０は、第２サーバ３０を介した商品表示装置４０との通信を許可しないことを通知する通信不許可通知を、通信開始要求を要求した移動端末６０に送信する。
【０１０２】
以下の動作では、第２サーバ３０は、通信許可通知を、移動端末６０及び商品表示装置４０に送信した場合について説明する。
【０１０３】
次に、ステップＳ４２において、移動端末６０は、判断結果の通知として通信許可通知を受信する。また、ステップＳ４４において、商品表示装置４０は、判断結果の通知としての通信許可通知、及び言語情報を受信する。商品表示装置４０は、受信した言語情報を使用して、表示部４４に情報を表示する。
【０１０４】
次に、ステップ４６において、システム１では、第２サーバ３０を介した移動端末６０と商品表示装置４０との間の通信が開始される。移動端末６０は、商品を表示する商品表示装置４０との間で、サーバ１０を介した通信を行って、商品の購入処理を実行する。例えば、商品表示装置４０は、複数の商品の説明等を、選択された言語を使用して表示部４４に表示する。ユーザは、商品表示装置４０のタッチパネルを操作して商品表示装置４０が表示する複数の商品の内から所望の商品を選択する。ユーザが商品表示装置４０のタッチパネルを操作して選択された所望の商品の情報である商品識別情報は装置識別番号と共に、商品選択要求として、商品表示装置４０から第２サーバ３０に送信される。商品選択要求を受信した第２サーバ３０は、移動端末６０に商品識別情報を送信する。商品識別情報を受信した移動体端末６０の表示部６４には、ユーザが商品表示装置４０のタッチパネルを操作して選択した所望の商品が表示される。そして、商品の購入及び商品の配送処理等はユーザが移動端末６０を用いて行う。また、購入した商品の支払い処理は、電子決済によりなされる。ユーザが選択した商品及び商品に関する情報は、商品表示装置４０には表示せず、移動端末６０の表示部６４のみに表示するようにしてもよい。また、商品選択要求は、商品識別情報及び装置識別番号の他に、会員番号又は商品を取り扱う店舗を識別する店舗識別情報を含んでいても良い。第２サーバ３０は、移動端末６０に対して、商品識別情報と共に、店舗識別情報等を送信しても良い。
【０１０５】
上述した本実施形態のシステム１によれば、移動端末６０を携帯するユーザが、無線標識送信領域Ｒに位置する時に、商品表示装置４０と移動端末６０との通信を適切に開始することができる。
【０１０６】
次に、上述したシステムの他の動作例を、図１５〜図２４を参照しながら以下に説明する。他の動作例について特に説明しない点については、上述の第１動作例に関して詳述した説明が適宜適用される。
【０１０７】
図１５は、システム１の第２動作例を説明する図である。
【０１０８】
商品表示装置４０は、屋外、商業施設又は公共機関等の場所に配置されている。商品表示装置４０が有する無線標識送信部５０は、無線標識送信領域Ｒに亘って、識別番号を無線で送信している。
【０１０９】
一のユーザに携帯される第１移動端末６０ａは、一のユーザの移動に伴って無線標識送信領域Ｒの中に侵入する。また、同じタイミングで、他のユーザに携帯される第２移動端末６０ｂも、他のユーザの移動に伴って無線標識送信領域Ｒの中に侵入する。無線標識送信領域Ｒの中に移動した第１移動端末６０ａ及び第２移動端末６０ｂは、無線標識送信部５０が送信する識別番号を受信する。
【０１１０】
以下、図１５に示すシステムの第２動作例を、図１６〜図１８に示すシーケンス図を参照しながら、以下に説明する。第２動作例の説明では、第１サーバ２０及び第２サーバ３０の動作を、まとめてサーバ１０が動作するとした。また、第１動作例で説明した動作と重複する説明の一部を省略する。商品表示装置４０は、最初の状態では、いずれの移動端末と通信を行っていない。
【０１１１】
まず、ステップＳ７０において、第１移動端末６０ａは、無線標識送信部５０が送信する識別番号を受信する。
【０１１２】
次に、ステップＳ７２において、第１移動端末６０ａは、第１移動端末６０ａが識別番号を受信したことを通知する受信確認通知及び識別番号を、通信番号と共に、ネットワークＮを介して、第１サーバ２０に送信する。
【０１１３】
次に、ステップＳ７４において、サーバ１０は、受信確認通知及び識別番号を、通信番号と共に受信する。
【０１１４】
次に、ステップＳ７６において、サーバ１０は、受信確認通知を要求した第１移動端末６０ａと商品表示装置４０との間の通信の許可を判断して、通信可能通知を、ネットワークＮを介して第１移動端末６０ａに送信する。
【０１１５】
次に、ステップＳ７８において、第１移動端末６０ａは、通信可能通知を受信する。この段階において、商品表示装置４０は、第１移動端末６０ａとの間の通信を開始していない。
【０１１６】
次に、ステップＳ８０において、第２移動端末６０ｂは、無線標識送信部５０が送信する識別番号を受信する。
【０１１７】
次に、ステップＳ８２において、第２移動端末６０ｂは、第２移動端末６０ｂが識別番号を受信したことを通知する受信確認通知及び識別番号を、通信番号と共に、ネットワークＮを介してサーバ１０に送信する。
【０１１８】
次に、ステップＳ８４において、サーバ１０は、受信確認通知及び識別番号を、通信番号と共に受信する。
【０１１９】
次に、ステップＳ８６において、サーバ１０は、受信確認通知を要求した第２移動端末６０ｂと商品表示装置４０との間の通信の許可を判断して、通信可能通知を、ネットワークＮを介して第２移動端末６０ｂに送信する。
【０１２０】
次に、ステップＳ８８において、第２移動端末６０ｂは、通信可能通知を受信する。この段階において、商品表示装置４０は、第１移動端末６０ａ及び第２移動端末６０ｂとの間の通信を未だ開始していない。
【０１２１】
次に、ステップＳ９０において、第１移動端末６０ａは、表示部６４に表示されたボタン６４ａがユーザにより操作されると、ログインの操作がされたことを認識する。
【０１２２】
次に、ステップＳ９２において、第１移動端末６０ａは、サーバ１０を介した商品表示装置４０との通信の開始を要求する通信開始要求、識別番号、会員番号及び言語を、通信番号と共に、ネットワークＮを介してサーバ１０に送信する。
【０１２３】
次に、ステップＳ９４において、サーバ１０は、通信開始要求、識別番号、会員番号及び言語を、通信番号と共に受信する。
【０１２４】
次に、ステップＳ９６において、サーバ１０は、通信開始要求を要求した第１移動端末６０ａと商品表示装置４０との間の通信の許可を判断して、サーバ１０を介して商品表示装置４０と通信することを許可することを通知する通信許可通知を、ネットワークＮを介して第１移動端末６０ａに送信する。また、サーバ１０は、通信許可通知及び言語情報を、ネットワークＮを介して、商品表示装置４０に送信する。
【０１２５】
そして、サーバ１０は、データベース３０ａに記憶される装置管理表Ｔ３を更新する。具体的には、サーバ１０は、通信が許可された装置識別番号と関連付けられている商品表示装置４０の通信状態を、通信停止から通信中に変更する。また、サーバ１０は、通信が許可された装置識別番号と関連付けて、第１移動端末６０ａのユーザの会員番号を登録する。
【０１２６】
次に、ステップ９８において、第１移動端末６０ａは、通信許可通知を受信する。また、ステップＳ１００において、商品表示装置４０は、通信許可通知及び言語を受信する。商品表示装置４０は、受信した言語情報を使用して、表示部４４に情報を表示する。
【０１２７】
そして、システム１では、サーバ１０を介した第１移動端末６０ａと商品表示装置４０との間の通信が開始される。
【０１２８】
次に、ステップＳ１０２において、第２移動端末６０ｂは、表示部６４に表示されたボタン６４ａがユーザにより操作されると、ログインの操作がされたことを認識する。ここで、第２移動端末６０ｂにおけるログインの操作は、サーバ１０を介した第１移動端末６０ａと商品表示装置４０との間の通信が開始した後に行われている。
【０１２９】
次に、ステップＳ１０４において、第２移動端末６０ｂは、サーバ１０を介した商品表示装置４０との通信の開始を要求する通信開始要求、識別番号、会員番号及び言語情報を、通信番号と共に、ネットワークＮを介してサーバ１０に送信する。
【０１３０】
次に、ステップＳ１０６において、サーバ１０は、通信開始要求、識別番号、会員番号及び言語情報を、通信番号と共に受信する。
【０１３１】
次に、ステップＳ１０８において、サーバ１０は、通信開始要求を要求した第２移動端末６０ｂと商品表示装置４０との間の通信の許可を判断して、サーバ１０を介して商品表示装置４０と通信することを許可しないことを通知する通信不許可通知を、ネットワークＮを介して第２移動端末６０ｂに送信する。商品表示装置４０は、第１移動端末６０ａとの通信を行っているので、第２移動端末６０ｂの通信開始要求は許可されない。
【０１３２】
次に、ステップＳ１１０において、第２移動端末６０ｂは、通信不許可通知を受信する。
【０１３３】
次に、ステップＳ１１２において、第２移動端末６０ｂは、商品表示装置４０との通信が許可されなかったことを許可表示部６４に表示する。
【０１３４】
上述した第２動作例よれば、商品表示装置４０と、複数の移動端末との通信の開始を適切に処理して、最初に通信開始要求を要求した移動端末に対して、商品表示装置４０との開始を許可することができる。
【０１３５】
以上が、システム１の第２動作例の説明である。
【０１３６】
次に、システム１の第３動作例の説明を行う。
【０１３７】
図１９及び図２０は、システム１の第３動作例を説明する図である。
【０１３８】
図１９に示すように、商品表示装置４０は、屋外、商業施設又は公共機関等の場所に配置されている。商品表示装置４０が有する無線標識送信部５０は、無線標識送信領域Ｒに亘って、識別番号を無線で送信している。
【０１３９】
一のユーザに携帯される第１移動端末６０ａは、無線標識送信領域Ｒの中に位置しており、サーバ１０を介して商品表示装置４０と通信を行っている。この状態において、他のユーザに携帯される第２移動端末６０ｂが、他のユーザの移動に伴って無線標識送信領域Ｒの中に侵入する。
【０１４０】
次に、図２０に示すように、一のユーザに携帯される第１移動端末６０ａは、一のユーザの移動に伴って、無線標識送信領域Ｒから外へ移動する。第２移動端末６０ｂは、サーバ１０を介した商品表示装置４０と通信を開始する。
【０１４１】
以下、図１９及び図２０に示すシステム１の第３動作例を、図２１〜図２４に示すシーケンス図を参照しながら、以下に説明する。第３動作例の説明では、第１サーバ２０及び第２サーバ３０の動作の一部を、まとめてサーバ１０が動作するとした。また、第１動作例で説明した動作と重複する説明の一部を省略する。
【０１４２】
まず、図１９に示す状態におけるステップＳ１２０において、第２移動端末６０ｂは、無線標識送信部５０が送信する識別番号を受信する。
【０１４３】
次に、ステップＳ１２２において、第２移動端末６０ｂは、第２移動端末６０ｂが識別番号を受信したことを通知する受信確認通知及び識別番号を、通信番号と共に、ネットワークＮを介してサーバ１０に送信する。
【０１４４】
次に、ステップＳ１２４において、サーバ１０は、受信確認通知及び識別番号を、通信番号と共に受信する。
【０１４５】
次に、ステップＳ１２６において、サーバ１０は、受信確認通知を要求した第２移動端末６０ｂと商品表示装置４０との間の通信の許可を判断して、通信不可通知を、ネットワークＮを介して、第２移動端末６０ｂに送信する。
【０１４６】
次に、ステップＳ１２８において、第２移動端末６０ｂは、通信不可通知を受信する。
【０１４７】
次に、ステップＳ１３０において、第２移動端末６０ｂは、表示部６４に、商品表示装置４０との通信が可能でないことを表示する。
【０１４８】
ここで、図２０に示すように、一のユーザに携帯される第１移動端末６０ａは、一のユーザの移動に伴って、無線標識送信領域Ｒから外へ移動する。
【０１４９】
次に、ステップＳ１３２において、第２サーバ３０を介して商品表示装置４０と通信を行っている第１移動端末６０ａは、無線標識送信領域Ｒから外へ移動したので、識別信号を受信しなくなる。第１移動端末６０ａは、識別番号を受信しなくなった時点から所定の時間の間、継続して識別番号が受信されない時に、無線標識送信領域Ｒの外に移動したと判断する。
【０１５０】
次に、ステップＳ１３４において、第１移動端末６０ａは、受信していた識別番号が受信されなくなった時に、第２サーバ３０を介した商品表示装置４０との通信の停止を要求する通信停止要求及び会員番号を、通信番号と共に、ネットワークＮを介して第１サーバ２０に送信する。
【０１５１】
次に、ステップＳ１３６において、第１サーバ２０は、受信した通信停止要求及び会員番号を、通信番号と共に、ネットワークＮを介して第２サーバ３０に送信する。
【０１５２】
次に、ステップＳ１３８において、第２サーバ３０は、通信停止要求及び会員番号を、通信番号と共に受信する。
【０１５３】
次に、ステップＳ１４０において、第２サーバ３０は、第２サーバ３０を介した商品表示装置４０との通信の停止を通知する通信停止通知を、ネットワークＮを介して、第１移動端末６０ａ及び商品表示装置４０に送信する。
【０１５４】
そして、第２サーバ３０は、データベース３０ａに記憶される装置管理表Ｔ３を更新する。具体的には、第２サーバ３０は、受信した会員番号と関連付けられている商品表示装置４０の通信状態を、通信中から通信停止に変更すると共に、受信した会員番号を装置管理表Ｔ３から消去する。なお、上述した装置管理表Ｔ３の更新処理は、第２サーバ３０が、移動端末６０及び商品表示装置４０に対して、通信停止通知を送信する前に行ってもよい。
【０１５５】
次に、ステップＳ１４２において、第１移動端末６０ａは、通信停止通知を受信する。また、ステップＳ１４４において、商品表示装置４０は、通信停止通知を受信する。
【０１５６】
次に、ステップＳ１４６において、第１移動端末６０ａは、第２サーバ３０を介した商品表示装置４０との通信を停止する。また、ステップＳ１４８において、商品表示装置４０は、第２サーバ３０を介した第１移動端末６０ａとの通信を停止する。
【０１５７】
次に、ステップＳ１５０において、第２移動端末６０ｂは、無線標識送信部５０が送信する識別番号を受信する。
【０１５８】
次に、ステップＳ１５２において、第２移動端末６０ｂは、第２移動端末６０ｂが識別番号を受信したことを通知する受信確認通知及び識別番号を、通信番号と共に、ネットワークＮを介してサーバ１０に送信する。
【０１５９】
次に、ステップＳ１５４において、サーバ１０は、受信確認通知及び識別番号を、通信番号と共に受信する。
【０１６０】
次に、ステップＳ１５６において、サーバ１０は、受信確認通知を要求した第２移動端末６０ｂと商品表示装置４０との間の通信の許可を判断して、通信可能通知を、ネットワークＮを介して第２移動端末６０ｂに送信する。
【０１６１】
次に、ステップＳ１５８において、第２移動端末６０ｂは、通信可能通知を受信する。
【０１６２】
次に、ステップＳ１６０において、第２移動端末６０ｂは、表示部６４に表示されたボタン６４ａがユーザにより操作されると、ログインの操作がされたことを認識する。
【０１６３】
次に、ステップＳ１６２において、第２移動端末６０ｂは、サーバ１０を介した商品表示装置４０との通信の開始を要求する通信開始要求、識別番号、会員番号及び言語情報を、通信番号と共に、ネットワークＮを介してサーバ１０に送信する。
【０１６４】
次に、ステップＳ１６４において、サーバ１０は、通信開始要求、識別番号、会員番号及び言語情報を、通信番号と共に受信する。
【０１６５】
次に、ステップＳ１６６において、サーバ１０は、通信開始要求を要求した第２移動端末６０ｂと商品表示装置４０との間の通信の許可を判断して、サーバ１０を介して商品表示装置４０と通信することを許可することを通知する通信許可通知を、ネットワークＮを介して第２移動端末６０ｂに送信する。また、サーバ１０は、通信許可通知及び言語情報を、ネットワークＮを介して、商品表示装置４０に送信する。
【０１６６】
そして、サーバ１０は、データベース３０ａに記憶される装置管理表Ｔ３を更新する。具体的には、サーバ１０は、通信が許可された装置識別番号と関連付けられている商品表示装置４０の通信状態を、通信停止から通信中に変更する。また、サーバ１０は、通信が許可された装置識別番号と関連付けて、第２移動端末６０ｂのユーザの会員番号を登録する。なお、上述した装置管理表Ｔ３の更新処理は、サーバ１０が、第２移動端末６０ｂ及び商品表示装置４０に対して、通信許可通知等を送信する前に行ってもよい。
【０１６７】
次に、ステップ１６８において、第２移動端末６０ｂは、通信許可通知を受信する。また、ステップＳ１７０において、商品表示装置４０は、通信許可通知及び言語情報を受信する。商品表示装置４０は、受信した言語を使用して、表示部４４に情報を表示する。
【０１６８】
次に、ステップ１７２において、システム１では、サーバ１０を介した第２移動端末６０ｂと商品表示装置４０との間の通信が開始される。
【０１６９】
上述した第３動作例によれば、無線標識送信領域Ｒの中から外に移動した第１移動端末６０ａと商品表示装置４０との間の通信を速やかに停止して、無線標識送信領域Ｒの中に位置している第２移動端末６０ｂと、商品表示装置４０との通信を速やかに開始することができる。
【０１７０】
本発明では、上述した実施形態のシステム、サーバ及び方法は、本発明の趣旨を逸脱しない限り適宜変更が可能である。また、一の実施形態が有する構成要件は、他の実施形態にも適宜適用することができる。
【０１７１】
例えば、移動端末は、識別番号を受信した場合、受信確認通知をサーバへ送信することなく、通信開始要求をサーバへ送信するようにしてもよい。この場合、移動端末は、通信可能通知を受け取ることなく、通信開始要求をサーバへ送信することになる。
【０１７２】
また、上述した説明では、商品表示装置は、商品等を表示して、移動端末との間で電子商取引を行っていたが、商品表示装置は、電子商取引を行う機能を有していなくてもよく、所定の情報を表示可能な表示装置であればよい。
【符号の説明】
【０１７３】
１    システム
１０    サーバ
２０    第１サーバ
２１    演算部
２２    記憶部
２３    操作部
２４    表示部
２５    通信部
２０ａ    データベース
３０    第２サーバ
３１    演算部
３２    記憶部
３３    操作部
３４    表示部
３５    通信部
３０ａ    データベース
４０    商品表示装置
４１    演算部
４２    記憶部
４３    操作部
４４    表示部
４５    通信部
５０    無線標識送信部
６０    移動端末
６１    演算部
６２    記憶部
６３    操作部
６４    表示部
６５    第１通信部
６６    第２通信部
６０ａ    第１移動端末
６０ｂ    第２移動端末
Ｎ    ネットワーク
Ｒ    無線標識送信領域
Ｔ１    識別番号管理表
Ｔ２    会員管理表
Ｔ３    装置管理表
【図１】
2017138391.tif 000003
【図２】
2017138391.tif 000004
【図３】
2017138391.tif 000005
【図４】
2017138391.tif 000006
【図５】
2017138391.tif 000007
【図６】
2017138391.tif 000008
【図７】
2017138391.tif 000009
【図８】
2017138391.tif 000010
【図９】
2017138391.tif 000011
【図１０】
2017138391.tif 000012
【図１１】
2017138391.tif 000013
【図１２】
2017138391.tif 000014
【図１３】
2017138391.tif 000015
【図１４】
2017138391.tif 000016
【図１５】
2017138391.tif 000017
【図１６】
2017138391.tif 000018
【図１７】
2017138391.tif 000019
【図１８】
2017138391.tif 000020
【図１９】
2017138391.tif 000021
【図２０】
2017138391.tif 000022
【図２１】
2017138391.tif 000023
【図２２】
2017138391.tif 000024
【図２３】
2017138391.tif 000025
【図２４】
2017138391.tif 000026
【国際調査報告】
2017138391.tif 000027
2017138391.tif 000028
2017138391.tif 000029
2017138391.tif 000030